(57)【要約】【課題】ピッキング作業性の向上を図ることができるピッキングシステムを提供する。【解決手段】ピッキングシステム１は収納棚手段を備え、この収納棚手段は複数の間口を有する複数のゾーンで構成する。ピッキングシステム１の制御手段は、作業者に対して作業者別に商品を割り当てた後、使用可能間口数を上回る商品数を割り付けたゾーンを検索する。制御手段は、使用可能間口数を上回る商品数を割り付けた一のゾーンを検出した場合に、使用可能間口数を下回る商品数を割り付けた他のゾーンとの間で商品入れ替え処理を実行する。【選択図】図１１
2016104672.tif 000002
【特許請求の範囲】
【請求項１】
商品が収納される複数の間口を有する複数のゾーンが並んで構成された収納棚手段と、
前記間口から商品をピッキングする複数の作業者が並んで位置する作業者用スペースと、
前記ゾーンにおける総間口数以下の間口の数を使用可能間口数として設定可能な入力手段と、
前記ゾーンに商品を割り付ける制御手段とを備え、
前記制御手段は、
作業者に対して作業者別に商品を割り当て、
前記使用可能間口数を上回る商品数が割り付けられたゾーンのうちの一のゾーンに割り当てられた全商品のうち、複数の商品の加算した受注行数と同一または近似する受注行数からなる一の商品を、前記使用可能間口数を下回る商品数が割り付けられた他のゾーンから抽出し、
前記複数の商品と前記一の商品とを入れ替える商品入れ替え処理を実行する
ことを特徴とするピッキングシステム。
【請求項２】
商品が収納される複数の間口を有する複数のゾーンが並んで構成された収納棚手段と、
前記間口から商品をピッキングする複数の作業者が並んで位置する作業者用スペースと、
前記ゾーンにおける総間口数以下の間口の数を使用可能間口数として設定可能な入力手段と、
前記ゾーンに商品を割り付ける制御手段とを備え、
前記制御手段は、
作業者に対して作業者別に商品を割り当て、
前記使用可能間口数を上回る商品数が割り付けられたゾーンのうちの一のゾーンに割り当てられた全商品のうち、複数の商品の加算した受注行数と同一または近似する受注行数からなる前記複数よりも少ない数の商品を、前記使用可能間口数を下回る商品数が割り付けられた他のゾーンから抽出し、
前記一のゾーンの複数の商品と前記他のゾーンの前記複数よりも少ない数の商品とを入れ替える商品入れ替え処理を実行する
ことを特徴とするピッキングシステム。
【請求項３】
制御手段は、
複数の作業者に対して作業者別に商品を割り当てる際に、受注行数が多い商品から順で、かつ現在振り分けられた総受注行数が一番少ない作業者から順に前記割り当てを行う
ことを特徴とする請求項１または２記載のピッキングシステム。
【請求項４】
制御手段は、
複数の作業者に対して作業者別に商品を割り当てる前に、全ゾーンで使用可能な総間口数以内の数の商品を、全商品から予め受注行数の多い商品順に抽出し、
商品入れ替え処理に関しては、使用可能間口数を上回るゾーンがなくなるまで繰り返し実行する
ことを特徴とする請求項１ないし３のいずれか一記載のピッキングシステム。
【請求項５】
制御手段は、
商品入れ替え処理に関して使用可能間口数を上回るゾーンがなくなるまで繰り返し実行した後、
総受注行数の作業者別の平均値を算出し、この算出した平均値より過多なゾーンと過少のゾーンとの差分の商品を１対１で入れ替える処理を実行する
ことを特徴とする請求項４記載のピッキングシステム。
【請求項６】
商品が収納される複数の間口を有する複数のゾーンが並んで構成された収納棚手段と、
前記間口から商品をピッキングする複数の作業者が並んで位置する作業者用スペースと、
前記ゾーンに商品を割り付ける制御手段とを備え、
前記制御手段は、
受注行数が多い商品から順で、かつ現在振り分けられた総受注行数が一番少ない作業者から順に、複数の作業者に対して作業者別に商品を割り当てた後、
各作業者が担当する前記ゾーンの間口に商品を割り付ける
ことを特徴とするピッキングシステム。
【請求項７】
商品が収納される複数の間口を有する複数のゾーンが並んで構成された収納棚手段と、
前記間口から商品をピッキングする複数の作業者が並んで位置する作業者用スペースと、
前記ゾーンにおける総間口数以下の間口の数を使用可能間口数として設定可能な入力手段と、
前記ゾーンに商品を割り付ける制御手段とを備え、
前記制御手段は、
作業者に対して作業者別に商品を割り当て、
前記使用可能間口数を上回る商品数が割り付けられた作業者のうちの一の作業者に割り当てられた全商品のうち、複数の商品の加算した受注行数と同一または近似する受注行数からなる一の商品を、前記使用可能間口数を下回る商品数が割り付けられた他の作業者から抽出し、
前記複数の商品と前記一の商品とを入れ替える商品入れ替え処理を実行する
ことを特徴とするピッキングシステム。
【発明の詳細な説明】
【技術分野】
【０００１】
本発明は、ピッキング作業性の向上を図ることができるピッキングシステムに関するものである。
【背景技術】
【０００２】
従来、例えば特許文献１に記載されたピッキングシステムが知られている。
【０００３】
この従来のピッキングシステムは、商品が収納される複数の間口を有する複数のゾーンが並んで構成された収納棚手段と、間口から商品をピッキングする複数の作業者が並んで位置する作業者用スペースと、作業者によって間口からピッキングされた商品が投入されるケースを収納棚手段の長手方向に沿って搬送する搬送手段とを備えている。そして、作業者用スペースには作業者が各ゾーンごとに１人ずつ配置され、１人の作業者が１つのゾーンを担当するようになっている。
【先行技術文献】
【特許文献】
【０００４】
【特許文献１】特開２０１０−１１５２号公報（図１）
【発明の概要】
【発明が解決しようとする課題】
【０００５】
そして、ピッキングシステムにおいては、ピッキング作業性の向上を図ることができるものが求められている。
【０００６】
本発明は、このような点に鑑みなされたもので、ピッキング作業性の向上を図ることができるピッキングシステムを提供することを目的とする。
【課題を解決するための手段】
【０００７】
請求項１記載のピッキングシステムは、商品が収納される複数の間口を有する複数のゾーンが並んで構成された収納棚手段と、前記間口から商品をピッキングする複数の作業者が並んで位置する作業者用スペースと、前記ゾーンにおける総間口数以下の間口の数を使用可能間口数として設定可能な入力手段と、前記ゾーンに商品を割り付ける制御手段とを備え、前記制御手段は、作業者に対して作業者別に商品を割り当て、前記使用可能間口数を上回る商品数が割り付けられたゾーンのうちの一のゾーンに割り当てられた全商品のうち、複数の商品の加算した受注行数と同一または近似する受注行数からなる一の商品を、前記使用可能間口数を下回る商品数が割り付けられた他のゾーンから抽出し、前記複数の商品と前記一の商品とを入れ替える商品入れ替え処理を実行するものである。
【０００８】
請求項２記載のピッキングシステムは、商品が収納される複数の間口を有する複数のゾーンが並んで構成された収納棚手段と、前記間口から商品をピッキングする複数の作業者が並んで位置する作業者用スペースと、前記ゾーンにおける総間口数以下の間口の数を使用可能間口数として設定可能な入力手段と、前記ゾーンに商品を割り付ける制御手段とを備え、前記制御手段は、作業者に対して作業者別に商品を割り当て、前記使用可能間口数を上回る商品数が割り付けられたゾーンのうちの一のゾーンに割り当てられた全商品のうち、複数の商品の加算した受注行数と同一または近似する受注行数からなる前記複数よりも少ない数の商品を、前記使用可能間口数を下回る商品数が割り付けられた他のゾーンから抽出し、前記一のゾーンの複数の商品と前記他のゾーンの前記複数よりも少ない数の商品とを入れ替える商品入れ替え処理を実行するものである。
【０００９】
請求項３記載のピッキングシステムは、請求項１または２記載のピッキングシステムにおいて、制御手段は、複数の作業者に対して作業者別に商品を割り当てる際に、受注行数が多い商品から順で、かつ現在振り分けられた総受注行数が一番少ない作業者から順に前記割り当てを行うものである。
【００１０】
請求項４記載のピッキングシステムは、請求項１ないし３のいずれか一記載のピッキングシステムにおいて、制御手段は、複数の作業者に対して作業者別に商品を割り当てる前に、全ゾーンで使用可能な総間口数以内の数の商品を、全商品から予め受注行数の多い商品順に抽出し、商品入れ替え処理に関しては、使用可能間口数を上回るゾーンがなくなるまで繰り返し実行するものである。
【００１１】
請求項５記載のピッキングシステムは、請求項４記載のピッキングシステムにおいて、制御手段は、商品入れ替え処理に関して使用可能間口数を上回るゾーンがなくなるまで繰り返し実行した後、総受注行数の作業者別の平均値を算出し、この算出した平均値より過多なゾーンと過少のゾーンとの差分の商品を１対１で入れ替える処理を実行するものである。
【００１２】
請求項６記載のピッキングシステムは、商品が収納される複数の間口を有する複数のゾーンが並んで構成された収納棚手段と、前記間口から商品をピッキングする複数の作業者が並んで位置する作業者用スペースと、前記ゾーンに商品を割り付ける制御手段とを備え、前記制御手段は、受注行数が多い商品から順で、かつ現在振り分けられた総受注行数が一番少ない作業者から順に、複数の作業者に対して作業者別に商品を割り当てた後、各作業者が担当する前記ゾーンの間口に商品を割り付けるものである。
【００１３】
請求項７記載のピッキングシステムは、商品が収納される複数の間口を有する複数のゾーンが並んで構成された収納棚手段と、前記間口から商品をピッキングする複数の作業者が並んで位置する作業者用スペースと、前記ゾーンにおける総間口数以下の間口の数を使用可能間口数として設定可能な入力手段と、前記ゾーンに商品を割り付ける制御手段とを備え、前記制御手段は、作業者に対して作業者別に商品を割り当て、前記使用可能間口数を上回る商品数が割り付けられた作業者のうちの一の作業者に割り当てられた全商品のうち、複数の商品の加算した受注行数と同一または近似する受注行数からなる一の商品を、前記使用可能間口数を下回る商品数が割り付けられた他の作業者から抽出し、前記複数の商品と前記一の商品とを入れ替える商品入れ替え処理を実行するものである。
【発明の効果】
【００１４】
本発明によれば、ピッキング作業性の向上を図ることができる。
【図面の簡単な説明】
【００１５】
【図１】本発明の一実施の形態に係るピッキングシステムの概略構成図である。
【図２】同上ピッキングシステムの部分平面図である。
【図３】同上ピッキングシステムのゾーンの間口アドレスを示す図である。
【図４】同上ピッキングシステムの表示手段に表示された棚条件設定用の設定画面の例である。
【図５】同上ピッキングシステムで２つのゾーンに対して１人の作業者が担当として設定された場合の説明図である。
【図６】同上ピッキングシステムの表示手段に表示された商品情報入力用の設定画面の例である。
【図７】同上ピッキングシステムのシステム処理のフローチャートである。
【図８】同上ピッキングシステムの高中頻度品処理１の説明図である。
【図９】同上ピッキングシステムの高中頻度品処理２の説明図である。
【図１０】同上ピッキングシステムの高中頻度品処理３の説明図である。
【図１１】同上ピッキングシステムの高中頻度品処理３の説明図である。
【図１２】１人の作業者が担当する２つのゾーンに関する割り付け順を示す図である。
【発明を実施するための形態】
【００１６】
本発明の一実施の形態について図面を参照して説明する。
【００１７】
図１および図２において、１はピッキングシステムで、このピッキングシステム１は、例えば作業者Ｘがオーダ情報に基づいて多種多様な商品についてピッキング作業をするためのピッキング設備（集品システム）である。
【００１８】
ピッキングシステム１は、図１および図２に示されるように、ピッキング作業者である作業者Ｘがピッキングする商品（物品）が収納される複数の間口（商品収納部）２を有する複数のゾーン（収納棚）が長手方向に直線状に並んで構成された水平方向長手状の収納棚手段３を備えている。
【００１９】
また、ピッキングシステム１は、作業者Ｘによって間口２からピッキングされた商品が投入されるケースＫを収納棚手段３の長手方向に沿って搬送方向にタクト搬送する直線状の第１搬送手段（Ａ系統）６と、この第１搬送手段６と平行状に配設され作業者Ｘによって間口２からピッキングされた商品が投入されるケースＫを収納棚手段３の長手方向に沿って搬送方向にタクト搬送する第２搬送手段（Ｂ系統）７とを備えている。なお、第１搬送手段６と第２搬送手段７とは、少なくとも収納棚手段３と対応する部分が互いに平行状に配設されている。また、ケースＫは、例えば上面が開口した箱形状の集品容器である。
【００２０】
さらに、収納棚手段３と第１搬送手段６との間には細長い作業者用スペース10が設けられ、この作業者用スペース10には、収納棚手段３の間口２から商品をピッキングする複数の作業者Ｘが並んで位置している。
【００２１】
収納棚手段３は、例えばゾーンナンバ（ゾーンNo）が「１」〜「16」と決められた１６のゾーンにて構成されている。そして、図１の例では、例えばゾーン「１」および「２」、ゾーン「３」および「４」、ゾーン「５」および「６」、ゾーン「７」および「８」に関しては、隣り合う２つのゾーンに対して１人の作業者Ｘが担当として設定されている。また、ゾーン「９」ないし「16」に関しては、１つのゾーンに対して１人の作業者Ｘが担当として設定されている。
【００２２】
各ゾーンは、例えば流動棚である収納棚11にて構成されている。収納棚11は、複数列複数段、すなわち例えば６列４段（合計２４）の商品収納用の間口２を有しているが、使用可能な間口２の数（間口数）は２４以下の数で任意に設定可能である。
【００２３】
図３に示されるように、各ゾーンは、間口アドレス（アドレス）が下段側から上段側に向かって順に「01」〜「24」と決められた２４個の間口２にて構成されている。なお、同じ段のアドレスは、正面視で左端側ほど若い数字となっている。間口２のロケーションは、ゾーンNoとアドレスとにて構成されるものである。
【００２４】
また、各収納棚11の前面部には、各間口２に対応して位置する間口指示手段13が設けられている。間口指示手段13は、作業者Ｘに対してピッキングすべき商品が収納されている間口２を指示するものである。間口指示手段13は、例えば各間口２ごとに設けられたＬＥＤランプ等である。また、各収納棚11には、表示装置であるゾーンモニタ14が設けられている。つまり、各ゾーンごとに、報知手段であるゾーンモニタ14が設けられている。なお、ゾーンモニタ14は必ずしも設ける必要がない。
【００２５】
第１搬送手段６は、例えばローラコンベヤ或いはベルトコンベヤ等のコンベヤ装置にて構成されている。第１搬送手段６は、フレーム部16と、このフレーム部16に設けられケースＫを複数個、例えば５個を１組として複数組が所定隙間をおいて連続的に並んだ状態となって搬送方向にタクト搬送するローラ或いはベルト等の搬送部17と、この搬送部17を作動させるモータ等の駆動部18とを有している。
【００２６】
また、第１搬送手段６のフレーム部16には、第１搬送手段６の停止時にこの第１搬送手段６上の各ケースＫに対応して位置する第１ケース指示手段20が設けられている。第１ケース指示手段20は、作業者Ｘに対して間口２からピッキングした商品を投入すべき第１搬送手段６上のケースＫを指示するものである。第１ケース指示手段20は、例えば第１搬送手段６上のケースＫの各商品投入停止位置ごとに設けられたＬＥＤランプ等である。
【００２７】
そして、作業者Ｘは、商品をピッキングした担当のゾーンの対応位置（対向位置）に位置する複数個のケースＫであって第１搬送手段６上の１組のケースＫ（例えば５個のケース）のうち、第１ケース指示手段20が投入指示を出した１個のケースＫに対して、対応するゾーンの間口２からピッキングした商品を投入する。
【００２８】
なお、１回のピッキング作業で、間口指示手段13にて指示された間口２からピッキングする商品の点数は１個には限られず、２個以上の場合もある。２個以上の商品を同時にピッキングする場合は、例えばピッキングすべき商品数量がゾーンモニタ14に表示される。なお、ピッキングすべき商品数量のみを表示する商品数量表示手段を別途設けてもよい。
【００２９】
さらに、第１搬送手段６のフレーム部16には、指示されたケースＫに商品が投入された後に作業者Ｘによって操作される完了スイッチ手段19が各ゾーンごとに設けられている。完了スイッチ手段19は、例えば長手方向長さ寸法が１つのゾーンの幅寸法と略同じテープスイッチ等である。なお、完了スイッチ手段19が操作されると、間口指示手段13が次のピッキング指示を出す。
【００３０】
第２搬送手段７は、第１搬送手段６と同様、例えばローラコンベヤ或いはベルトコンベヤ等のコンベヤ装置にて構成されている。第２搬送手段７は、フレーム部21と、このフレーム部21に設けられケースＫを複数個、例えば５個を１組として複数組が所定隙間をおいて連続的に並んだ状態となって搬送方向にタクト搬送するローラ或いはベルト等の搬送部22と、この搬送部22を作動させるモータ等の駆動部23とを有している。
【００３１】
また、第２搬送手段７のフレーム部21には、第２搬送手段７の停止時にこの第２搬送手段７上の各ケースＫに対応して位置する第２ケース指示手段25が設けられている。第２ケース指示手段25は、作業者Ｘに対して間口２からピッキングした商品を投入すべき第２搬送手段７上のケースＫを指示するものである。第２ケース指示手段25は、例えば第２搬送手段７上のケースＫの各商品投入停止位置ごとに設けられたＬＥＤランプ等である。
【００３２】
そして、作業者Ｘは、商品をピッキングした担当のゾーンの対応位置（対向位置）に位置する複数個のケースＫであって第２搬送手段７上の１組のケースＫ（例えば５個のケース）のうち、第２ケース指示手段25が投入指示を出した１個のケースＫに対して、対応するゾーンの間口２からピッキングした商品を投入する。
【００３３】
なお、１回のピッキング作業で、間口指示手段13にて指示された間口２からピッキングする商品の点数は１個には限られず、２個以上の場合もある。２個以上の商品を同時にピッキングする場合は、例えばピッキングすべき商品数量がゾーンモニタ14に表示される。なお、ピッキングすべき商品数量のみを表示する商品数量表示手段を別途設けてもよい。
【００３４】
また、ゾーンモニタ14、間口指示手段13、第１ケース指示手段20および第２ケース指示手段25の各々は、作業者Ｘから容易に目視可能な位置に配設されている。
【００３５】
また一方、図１に示されるように、ピッキングシステム１は、作業者Ｘがピッキングする低頻度商品が収納される低頻度商品用棚手段（低頻度ゾーン）26を備えている。作業者Ｘは、ピッキング指示および投入指示に従い、低頻度商品用棚手段26の間口から商品をピッキングしてケースＫに投入する。
【００３６】
さらに、ピッキングシステム１は、第１搬送手段６および第２搬送手段７をそれぞれ個別に制御する制御手段31を備えている。つまり、制御手段31は、オーダ情報に基づいて第１搬送手段６の駆動および停止と第２搬送手段７の駆動および停止とをそれぞれ個別に制御する。制御手段31には、搬送手段６，７、指示手段13，20，25およびゾーンモニタ14等が電気的に接続されている。
【００３７】
また、この制御手段31は、ゾーンNoおよびアドレスからなるロケーションを決定して使用ゾーンの間口に対して商品を自動的に割り付ける割り付け処理等を含む各種処理を行う。なお、図示しないが、制御手段31には、設定画面等を表示する表示手段、情報を入力するための入力手段、情報を記憶する記憶手段等が電気的に接続されている。
【００３８】
ここで、図４は、ピッキングシステム１の表示手段に表示された棚条件設定用の設定画面の例である。
【００３９】
この図４の画面は、低頻度商品割り付け率（例えば「20」％）を表示する割り付け率表示部41と、この割り付け率表示部41に表示される低頻度商品割り付け率を変更するための「割り付け率変更」ボタン42とを有している。そして、設定作業者が「割り付け率変更」ボタン42をクリック（操作）すると、この設定画面において、低頻度商品割り付け率を入力可能な状態となる。
【００４０】
例えば低頻度商品割り付け率が「20」％に設定された場合には、オーダ情報に基づく受注行数が全受注行数に対して20％以内である商品は、収納棚手段（中高頻度商品用棚手段）３の間口２には割り付けられず、低頻度商品用棚手段26の間口に割り付けられる。
【００４１】
なお、受注行数（以下、単に「行数」という）とは、作業者Ｘによるピッキング作業数（ピッキング単位数）であり、作業者Ｘが間口２にアクセスするアクセス数（作業負荷）を意味する。例えば１回のピッキング作業で作業者Ｘが間口２からピッキングする商品点数が常に１個であれば、「行数＝点数」となる。
【００４２】
また、図４の画面は、間口２のアドレスおよび割り付け順（割り付ける順番を示す数字）を表示する間口対応表示部43と、この間口対応表示部43に表示される割り付け順を変更するための「割り付け順変更」ボタン44とを有している。
【００４３】
そして、例えば禁止棚（禁止間口）の設定・解除を行う場合には、設定作業者は、まず、設定・解除したい間口対応表示部43上の間口部分をクリックする。すると、「禁止棚設定」の項目45および「禁止棚解除」の項目46が表示される。その後、設定作業者は、設定したい項目を選択してクリックする。「禁止棚設定」の項目46をクリックした場合には対応する間口２が禁止棚の状態となり、「禁止棚解除」の項目46をクリックした場合には対応する間口２が禁止棚解除の状態となる。
【００４４】
また、例えば割り付け順を変更する場合には、設定作業者は、まず、「割り付け順変更」ボタン44をクリックする。すると、設定されていた割り付け順がクリアされる。次いで、設定作業者は、割り付けしたい順に間口対応表示部43上の間口部分をクリックする。すると、割り付け順が間口対応表示部43に昇順に表示される。間口対応表示部43上の全ての間口部分（禁止棚がある場合にはその間口部分を除く）をクリックすると、割り付け順が変更不可の状態となる。なお、各ゾーンごとに異なる割り付け順を設定可能となっているが、全てのゾーンに対して共通の割り付け順しか設定できない構成でもよい。
【００４５】
また、図４の画面は、収納棚手段３のゾーンNoおよび使用可能間口数（割り付け可能間口数）を表示する複数のゾーン選択ボタン48と、各ゾーン選択ボタン48ごとに設けられたチェックボックス49と、使用ゾーンを変更するための「使用ゾーン変更」ボタン50と、選択中の一のゾーンのゾーンNoを表示する選択ゾーン表示部51とを有している。
【００４６】
そして、設定作業者が「使用ゾーン変更」ボタン50をクリックすると、チェックボックス49にチェックを入力することが可能な状態となる。この状態で、設定作業者は、使用するゾーンに対応するチェックボックス49にはチェックを入力し、使用しないゾーンに対応するチェックボックス49からチェックを外す。
【００４７】
さらに、図４の画面は、互いに隣り合う２つのゾーン選択ボタン48ごとに位置する２ゾーン指定用のチェックボックス56を有している。そして、設定作業者は、連続的に並ぶ２つのゾーンに対して１人の作業者を担当させる場合にはチェックボックス56にチェックを入力し、１つのゾーンに対して１人の作業者を担当させる場合にはチェックボックス56からチェックを外す。つまり、２ゾーン指定のチェックボックス56をチェックすると、１人が２ゾーンを担当するモードに設定される。
【００４８】
また、図４の画面は、１人２ゾーンモード時の上流ゾーン割り付け率（例えば「20」％）を表示する割り付け率表示部57と、この割り付け率表示部57に表示される上流ゾーン割り付け率を変更するための「割り付け率変更」ボタン58とを有している。
【００４９】
そして、設定作業者が、割合変更用ボタンである「割り付け率変更」ボタン58をクリック（操作）すると、この設定画面において、上流ゾーン割り付け率（２つのゾーンのいずれか一方のピッキング作業数割合）を入力可能な状態となる。割り付け率表示部57に数値を入力して上流ゾーンの割り付け率（作業負荷割合）を手動で設定すると、下流ゾーンの割り付け率（作業負荷割合）が自動的に設定される。なお、割り付け率表示部57に表示される上流ゾーン割り付け率は、設定された全ての２つのゾーンに対して共通のものである。
【００５０】
このように、図４の画面において、互いに隣り合う２つのゾーンに対して１人の作業者を担当として設定することが可能となっており、かつ、１人の作業者が担当する２つのゾーンに関する各ゾーン別のピッキング作業数割合（行数の割合）を設定することが可能となっている。
【００５１】
例えば、ゾーンNoが「１」・「２」の２つのゾーンに対して１人の作業者を担当として設定し、かつ、ゾーンNoが「１」の上流ゾーンの割り付け率を例えば「20」％として設定した場合を図５に示す。
【００５２】
この場合、「１」のゾーンが中頻度棚となり、「２」のゾーンが高頻度棚となり、基本的には各ゾーンの全間口２に商品が割り付けられている。なお、場合によっては一部の間口２に商品が割り付けられないことがある。
【００５３】
また、「２」のゾーン（収納棚11）から「１」のゾーン側の搬送手段６，７への商品投入はなく、「１」のゾーン（収納棚11）から「２」のゾーン側の搬送手段６，７への商品投入もない。さらに、「１」・「２」の両ゾーンで間口指示手段13のランプが同時（略同時を含む）に光るが、ピック順は、作業者Ｘの判断に任される。
【００５４】
なお、図４の画面において、入力内容が変更された場合には、「変更あり」の項目52がステータス表示となる。そして、「設定」ボタン53がクリックされると、変更後の入力内容が設定される。「キャンセル」ボタン54がクリックされると、変更前の入力内容が図４の画面に表示される。
【００５５】
図６は、ピッキングシステム１の表示手段に表示された商品情報入力用の設定画面の例である。
【００５６】
この図６の画面において、商品特性が他の商品とは異なる特殊な商品に関し、特殊な商品の受注情報に対して、その商品特性に対応するグループ情報を関連付けて設定することが可能となっている。なお、１つのグループ情報に対して、商品特性が同一または類似する複数の商品を設定することが可能となっている。
【００５７】
図６の画面は、受信した受注情報および入力された商品情報を一覧表にして表示する情報表示部を有している。
【００５８】
この情報表示部61は、最後に受信した情報を対象データの初期表示とするが、変更用ボタン62の操作に基づく対象データの選択で過去４回の情報を表示することが可能である。また、表示条件は、「全件」または「グループ登録なし」を選択し、「表示」ボタン63をクリックすると、対象データが一覧表示される。
【００５９】
そして、情報表示部61に受注情報が表示された後、設定作業者は、その受信した受注情報に応じて商品情報の入力を必要に応じて行なう。
【００６０】
つまり、商品特性が他の商品とは異なる特殊な商品に関してのみ、その商品の受注情報に対応するように、グループ情報および固定情報を入力する。ただし、商品名をキーとして既にマスタ管理されている商品に関しては、自動で入力される。また、間口数については、行数および所定の係数等に応じて決定された間口数が自動で入力されるが、手動で入力するようにしてもよい。なお、入力なしの商品はグループ情報なし、間口数＝０として処理される。すなわち例えばマスタ管理されていない場合やマスタ管理を変更する場合等には、作業者は、一覧表の「グループ」の欄にグループ名データ（例えば「大量品１」、「重量品１」等）や「固定」の項目を入力し、「固定」の項目を入力したときには一覧表の「固定ゾーンNo」および「固定アドレス」の欄にゾーンNoおよびアドレスも入力する。
【００６１】
このとき、一覧表の「グループ」の欄のうち、グループ名データを入力したい空欄部分でクリックすると、予め設定されたグループ情報のグループ名データを含むリスト65が表示され、「グループ」（グループ名データ）や「固定」を選択して入力する。
【００６２】
また、リスト65にないグループ情報を入力する場合には、「グループ管理」ボタン66をクリックすると、所定のグループ管理画面が表示され、このグループ管理画面中の「追加」ボタン67をクリックして新たなグループ情報を追加する。つまり、「追加」ボタン67の操作で表示された追加画面において、設定作業者は、グループ名データ、割り付け範囲指定用のゾーン位置データおよび割り付け範囲指定用の間口位置データを入力する。なお、グループ管理画面中の「変更」ボタン68、「設定」ボタン69、「キャンセル」ボタン70、「削除」ボタン71等を操作してグループ情報の変更や削除等も可能である。また、複数のグループ情報が設定された場合において、各グループ情報間で重複した間口を指定することは不可能である。
【００６３】
そして、このような図６の画面において、商品情報の入力が完了した場合には、設定作業者は、「設定」ボタン73をクリックする。すると、情報表示部61に表示中の一覧表の入力内容が設定される。
【００６４】
このとき、制御手段31は、入力内容のチェックを行い、異常検出時にはメッセージボックスを出力する。「キャンセル」ボタン74の操作で、設定前の情報を再表示する。具体的には、制御手段31は、固定アドレスの重複チェックを行い、重複がある場合には異常を報知する。また、制御手段31は、グループ情報のゾーン位置データおよび間口位置データから求められる指定間口数がグループ情報に対応する商品特性を有する受注商品の合計間口数を超えるか否かを判断し、その合計間口数を超える場合には異常を報知する。
【００６５】
そして、上記のような固定ロケーション設定やグループ設定等によって商品の割り付けが行われることになるが、間口２への商品の割り付けによってピッキング作業性が左右される。
【００６６】
そこで、このピッキングシステム１では、作業者別のゾーン割り付け機能を設け、各作業者別のヒット率の均等化（行数の均等化）を行える機能を実現し、かつ、１作業者で複数ゾーンを担当する場合には各ゾーン別のピッキング作業数割合を設定可能とすることでピッキング作業効率を向上する機能を実現する。なお、これ以降の説明中、商品という記載は、商品もしくは１商品複数間口は１間口分を商品と解釈する（行数の多い商品は、隣接する複数の間口に設定可能であるため）。
【００６７】
図４や図６等に示す設定画面による初期設定機能を利用して、（１）低頻度ゾーンの行数（点数）割合ａ％の設定、（２）ゾーン別の作業者割り付け設定（１作業者で、１ゾーンもしくは、隣り合う複数ゾーンを担当として設定可能）、（３）１作業者内のゾーン別の行数（点数）割合、つまり作業者の搬送方向上流比率Ｍ％の設定を行う。
【００６８】
つまり図７に示すピッキングシステム１のシステム処理のフローチャートに示すように、前記（１）〜（３）以外に、固定ロケーション設定、グループ設定、使用ゾーン設定、禁止棚設定等も行う（ステップ１）。
【００６９】
次いで、ピッキングシステム１の制御手段31は、固定ロケーション設定により間口割り付け（ステップ２）、グループ設定により間口設定（ステップ３）の後、高中頻度商品および低頻度商品の振り分け処理を行う（ステップ４）。
【００７０】
高中頻度商品は、行数（点数）で多い順から総行数（総点数）で（１００−ａ）％に該当する商品、もしくは、該当％内でも、割り当て可能な高中頻度の総間口数を超える場合は該当の間口数までとする。低頻度商品は、高中頻度商品以外の商品である。
【００７１】
次いで、[高中頻度品処理１]として、作業者（ピッカー）別の振り分け処理を行う（ステップ５）。つまり、各作業者のピッキング作業数（行数）または各作業者のピッキング作業時間が均等（略均等を含む）となるように、各作業者別に以下の処理で商品の振り分けを実施する。
【００７２】
図８に示すように、(i)行数（点数）が多い商品から順に、作業者別に商品を割り当てる。(ii)割り当てる順は、現在振り分けられた総行数（総点数）が一番少ない作業者へ順番に割り当てる。(iii)全商品が振り分けられるまで繰り返す。
【００７３】
なお、作業者別に、作業者平均行数（点数）[＝総行数（総点数）の作業者別の平均値]からの「掛け率」設定機能を設ける。「掛け率」を設定された作業者は、「掛け率」×作業者平均行数（点数）の値を上限値として以下の処理で商品の配分を行う。
【００７４】
つまり、各作業者の単位時間当たりの行数は、ピッキング作業の経験度合いによって異なるため、例えば設定画面において、作業慣れしていない作業者に対しては「掛け率」として例えば０．７以上、１未満の数値を設定し、作業慣れした作業者に対しては「掛け率」として例えば１よりも大きく、１．３以下の数値を設定する。そして、このように「掛け率」が設定された作業者の行数は、「掛け率」が設定されていない作業者の行数とは異なる値となる。
【００７５】
次いで、[高中頻度品処理２]として、１作業者複数ゾーンの振り分け処理を行う（ステップ６）。つまり、前記ステップ５での作業者別の振り分け処理のときに、「１作業者で複数ゾーン」となっている作業者は、以下の処理により、「行数（点数）の比率の高いゾーンから順次割り付け」られるように、商品をゾーン別に振り分ける。
【００７６】
図９に示すように、例えば１人の作業者が隣接する２つのゾーンを担当するように設定され、行数の比率の高いゾーン（高頻度ゾーン）が搬送方向下流のゾーンである場合について説明する。
【００７７】
(i)ステップ５により、順次割り当てられる商品の行数（点数）を累積加算し、その値が図９に示す数式１による「作業者の搬送方向下流ゾーンの平均行数（点数）」を超えるまで、２ゾーン中の下流のゾーンへ割り当てる。(ii)ステップ５での作業者別の振り分け処理のときに、前記(i)以降に該当作業者へ割り当てられる商品については、２ゾーン中の上流ゾーンへの割り当てとする。
【００７８】
次いで、[高中頻度品処理３]として、ゾーン別商品（間口）数の調整処理を行う（ステップ７）。つまり、１ゾーン当たりの有効間口数（予め設定された使用可能間口数）に合わせたチューニング（調整）を行い、各ゾーンに振り分けられる間口数（商品数）が有効間口数以下になるように商品の入れ替えによって調整する。
【００７９】
これまでの処理（高中頻度品処理１、２）でゾーン別に、商品を振り分けているが、実施のゾーンには振り分けられる間口数（商品数）に制限がある。よって、これらを割り付け可能な値に調整する。なお、このステップ７による調整処理は、ゾーン間の処理であり、作業者別の割り振りとは無関係である。
【００８０】
図１０に示すように、例えばゾーンNoが「１」〜「８」のゾーンでは有効間口数（使用可能間口数）が「１８」に設定され、ゾーンNoが「９」〜「16」のゾーンでは有効間口数（使用可能間口数）が「２４」に設定された場合について説明する。
【００８１】
図１１に示すように、有効間口数をオーバーしているゾーンをＫゾーンとし、有効間口数−１以下で空き間口のあるゾーンをＹゾーンとして説明する。(i)１つのＫゾーンから行数（点数）の少ない複数商品（例えば２商品）を抽出し、全てのＹゾーンから１商品で同数（同数がない場合は、一番近い値）の商品を選択し、Ｋゾーンの２商品とＹゾーンの１商品とをデータ上で入れ替える。(ii)その(i)の入れ替え処理を、Ｋゾーンがなくなるまで繰り返す。
【００８２】
次いで、[高中頻度品処理４]として、ゾーンの最適化処理を行う（ステップ８）。
【００８３】
基本的には、前記高中頻度品処理１ないし３の処理を行うが、高中頻度品処理３（ステップ７）での商品の入れ替えで「同数がない場合、一番近い値」で処理するため、ゾーン間の比率（作業負担割合）にズレが発生する。これを補正するため、以下の処理を行う。
【００８４】
(i)１作業者１ゾーン：作業者別の平均行数（点数）、(ii)１作業者２ゾーン（上流）：１作業者２ゾーン（上流）の平均の行数（点数）、(iii)１作業者２ゾーン（下流）：１作業者２ゾーン（下流）の平均の行数（点数）とする。なお、作業者別に、作業者平均行数（点数）[＝総行数（総点数）の作業者別の平均値]からの「掛け率」設定がされている場合は、この値に「掛け率」を掛けた値となる。
【００８５】
そして、これら(i)〜(iii)の各々で、平均値より「過多なゾーン」と「過少のゾーン」との差分の商品を「１対１」で、入れ替えることにより、ゾーンごとの平均化を実施する。この処理を繰り返し実施し、「全てのゾーンが平均値のｘ％以内となる」、もしくは、「設定回数ｎ回、実施となる」まで処理する。なお、ｘ％やｎ回は、それぞれ設定値である。
【００８６】
次いで、[高中頻度品処理５]として、ゾーン内の間口割り当て処理を行う（ステップ９）。すなわち例えば、前記高中頻度品処理１ないし４でゾーン別に割り当てられた商品を、予め設定された割り付け順（優先順位）に従って、行数（点数）の多い順にゾーン内の間口に対して割り付ける。
【００８７】
ここで、１人の作業者が担当する２つのゾーンに関しては、高頻度棚である上流ゾーンでの割り付け順と、中頻度棚である下流ゾーンでの割り付け順とが互いに異なるように設定することが好ましい。すなわち例えば、図１２に示すように、下流ゾーンでは棚中央部の順番が早い割り付け順に設定し、上流ゾーンでは下流ゾーン側の棚側部の順番が早い割り付け順に設定する。このように設定することで、作業者の目配せの負担が軽減する。
【００８８】
そして、ピッキングシステム１によれば、互いに隣り合う複数のゾーンに対して１人の作業者を担当として設定することが可能であり、１人の作業者が担当する複数のゾーンに関する各ゾーン別のピッキング作業数割合を設定することが可能であるため、例えば下流ゾーン側でのピッキング作業数が上流ゾーン側に比べて多くなるようにピッキング作業数割合を適切に設定することができ、よって、ピッキング作業性の向上を図ることができる。
【００８９】
なお、上記実施の形態では、[高中頻度品処理３]としてゾーン別商品数の調整処理を行う場合について説明したが、例えば図６で別案として示すように、作業者別の間口数の上限まで作業者別間口数分布比率を元に振り分けることで、ゾーン別商品数の調整処理を行わないようにしてもよい。
【００９０】
また、収納棚手段２の長手方向に沿って連続的に並んで互いに隣り合う２つのゾーンに対して１人の作業者を担当として設定することが可能な構成について説明したが、例えば連続的に並んで互いに隣り合う３つの以上のゾーンに対して１人の作業者を担当として設定できるようにしてもよい。
【００９１】
さらに、間口２からピッキングされた商品が投入されるケースＫを搬送する搬送手段は、平行な２ラインのものには限定されず、１ラインのものや３ライン以上のものでもよい。また、ケースを用いずに、間口２からピッキングされた商品を上面に直接載せて搬送する構成等でもよい。
【符号の説明】
【００９２】
１    ピッキングシステム
２    間口
３    収納棚手段
10    作業者用スペース
31    制御手段
【図１】
2016104672.tif 000003
【図２】
2016104672.tif 000004
【図３】
2016104672.tif 000005
【図４】
2016104672.tif 000006
【図６】
2016104672.tif 000007
【図７】
2016104672.tif 000008
【図１２】
2016104672.tif 000009
【図５】
2016104672.tif 000010
【図８】
2016104672.tif 000011
【図９】
2016104672.tif 000012
【図１０】
2016104672.tif 000013
【図１１】
2016104672.tif 000014